(57)【要約】【課題】大規模ＩＰネットワークにおいて測定スケジュール設定の手間を大幅に削減し、測定データを簡便、かつリアルタイムに提供する。【解決手段】ＩＰネットワーク２上にピアツーピア（Ｐ２Ｐ）ネットワークレイヤ４を構築する。測定元となる測定装置１−Ａは、測定先となる測定装置１−ＢをＰ２Ｐネットワークレイヤ４上で検索して測定スケジュールを作成し、測定装置１−Ｂとの間のＩＰ品質を測定する。測定データ要求を受信した測定装置１は、指定された収集条件に合致するＩＰ品質を測定した測定元を、Ｐ２Ｐネットワークレイヤ４上で検索する。自装置が検索された測定元である場合、測定データ要求を発した要求元に収集条件に合致する測定データを送信する。【選択図】　　　　図１
2004064692.tif 000002
【特許請求の範囲】
【請求項１】
任意の２つのＩＰノード間のＩＰ品質を複数のＩＰノードについて測定する多ノード間測定方法において、
前記複数のＩＰノードを直接接続するピアツーピア（Ｐ２Ｐ）ネットワークレイヤをＩＰネットワーク上に構築する手順と、
測定先として予め決定されたＩＰノードを前記Ｐ２Ｐネットワークレイヤ上で検索する手順と、
測定元として予め決定されたＩＰノードにおいて前記測定先ＩＰノードに対する測定スケジュールを作成する手順と、
前記測定元ＩＰノードと前記測定先ＩＰノードとの間のＩＰ品質を前記測定スケジュールに従って前記測定元ＩＰノードから測定する手順と、
前記ＩＰネットワークから測定データ要求を受信したとき、この測定データ要求で指定された収集条件に合致するＩＰ品質を測定した前記測定元ＩＰノードを、前記Ｐ２Ｐネットワークレイヤ上で検索する手順と、
前記検索された測定元ＩＰノードから前記測定データ要求を発した要求元に、前記収集条件に合致する測定データを送信する手順とを実行することを特徴とする多ノード間測定方法。
【請求項２】
請求項１記載の多ノード間測定方法において、
前記要求元は、前記ＩＰネットワークを構築するインフラストラクチャ事業者の端末装置であることを特徴とする多ノード間測定方法。
【請求項３】
請求項１記載の多ノード間測定方法において、
前記要求元は、前記ＩＰネットワークに開設された回線を利用している回線利用者の端末装置であることを特徴とする多ノード間測定方法。
【請求項４】
請求項１記載の多ノード間測定方法において、
前記要求元は、前記ＩＰネットワークを利用してアプリケーション利用者にサービスを提供するアプリケーション事業者の端末装置であることを特徴とする多ノード間測定方法。
【請求項５】
ＩＰネットワーク上に複数設置され、任意の２つの測定装置間のＩＰ品質を複数の測定装置について測定する多ノード間測定装置において、前記複数の測定装置を直接接続するピアツーピア（Ｐ２Ｐ）ネットワークレイヤをＩＰネットワーク上に構築する手段と、
自装置が測定元として予め決定された場合、測定先として予め決定された測定装置を前記Ｐ２Ｐネットワークレイヤ上で検索する手段と、
自装置が測定元として予め決定された場合、前記測定先に対する測定スケジュールを作成する手段と、
自装置が測定元として予め決定された場合、自装置と前記測定先との間のＩＰ品質を前記測定スケジュールに従って測定する手段と、
前記ＩＰネットワークから測定データ要求を受信したとき、この測定データ要求で指定された収集条件に合致するＩＰ品質を測定した前記測定元を、前記Ｐ２Ｐネットワークレイヤ上で検索する手段と、
自装置が前記検索された測定元である場合、前記測定データ要求を発した要求元に前記収集条件に合致する測定データを送信する手段とを有することを特徴とする多ノード間測定装置。
【請求項６】
請求項５記載の多ノード間測定装置において、
前記要求元は、前記ＩＰネットワークを構築するインフラストラクチャ事業者の端末装置であることを特徴とする多ノード間測定装置。
【請求項７】
請求項５記載の多ノード間測定装置において、
前記要求元は、前記ＩＰネットワークに開設された回線を利用している回線利用者の端末装置であることを特徴とする多ノード間測定装置。
【請求項８】
請求項５記載の多ノード間測定装置において、
前記要求元は、前記ＩＰネットワークを利用してアプリケーション利用者にサービスを提供するアプリケーション事業者の端末装置であることを特徴とする多ノード間測定装置。
【発明の詳細な説明】
【０００１】
【発明の属する技術分野】
本発明は、インターネット等のパケット交換型のネットワークサービスにおいて、広範囲に分布するノード間の品質の情報をアクテイブな測定によって効率よく収集し、そのデータの任意の部分を必要とする利用者ヘリアルタイムに提供する多ノード間測定方法および装置に関するものである。
【０００２】
【従来の技術】
インターネット環境の普及に伴ってＩＰ（Ｉｎｔｅｒｎｅｔ　Ｐｒｏｔｏｃｏｌ　）ネットワークの利用範囲が広がり、あらゆる環境にグローバルなＩＰアドレスが提供されるようになってきている。この傾向は無線スポットやＩＰｖ６（Ｉｎｔｅｒｎｅｔ　Ｐｒｏｔｏｃｏｌ　Ｖｅｒｓｉｏｎ６）の普及によってますます高まり、家電製品やＰＤＡ（Ｐｅｒｓｏｎａｌ　Ｄｉｇｉｔａｌ　Ａｓｓｉｓｔａｎｔ）、街頭端末等の様々な電子機器に対してＩＰアドレスが付与されることになる。このような環境下でユビキタスと呼ばれる動きも盛んになっており、いつでもどこでもＩＰを通じた通信によってＩＰネットワークに接続することができる環境が整ってきている。
【０００３】
しかしながら、コンピュータによるウエブページの閲覧が中心であったときに比較して、ユビキタス環境下では音声や位置情報等の即時性を要求するアプリケーションの需要が飛躍的に増加することになる。このため、広域に分散した多ノード環境下で任意の２つのノード間の品質やトラヒックを測定したいという要求が生じている。
【０００４】
従来、ネットワークの２点以上のノード間での品質を知るために、測定事業者は、図１０のようにあらかじめ多数の測定装置１０をネットワーク２０に設置して、それぞれの測定装置１０に測定スケジュールを設定してネットワーク２０のノード間の品質を測定させていた。そして、測定事業者は、測定装置１０から測定データを収集して、収集した測定データを他の事業者に提供していた。
【０００５】
しかしながら、このような測定方法では、ノード間の測定を多数実施しようとすると、膨大な数の測定装置１０にそれぞれ測定スケジュールを設定しなければならないので、特定の利用者ネットワークのような限られた領域を特定期間だけ測定するといった限定的な利用が主たる対象となり、大規模なネットワークに対応することができないという問題点があった。また、図１０に示した従来の測定方法では、測定事業者で測定データを収集したり加工したりするのに時間がかかる。したがって、利用者への音声アプリケーションの配信が可能かどうかといった判断をアプリケーション事業者が行うために、測定データをリアルタイムに必要とする場合には、図１１のように測定データを必要とする事業者自身が測定装置１０を設置して測定する必要があった。
【０００６】
【発明が解決しようとする課題】
以上のように、従来の測定方法では、２台の測定装置（ＩＰノード）間の測定を多数のＩＰノードについて行う場合、測定を実施するのに多くの手間を要するため、大規模なネットワークに対応することが難しいという問題点があった。また、測定データをリアルタイムに取得するためには、測定データを必要とする事業者自身が測定しなければならないという問題点があった。
本発明は、上記課題に鑑みてなされたもので、その目的とするところは大規模ＩＰネットワークにおいて測定スケジュール設定の手間を大幅に削減し、測定データを簡便、かつリアルタイムに提供することにある。
【０００７】
【課題を解決するための手段】
本発明の多ノード間測定方法は、複数のＩＰノードを直接接続するピアツーピア（Ｐ２Ｐ）ネットワークレイヤをＩＰネットワーク上に構築する手順と、測定先として予め決定されたＩＰノードを前記Ｐ２Ｐネットワークレイヤ上で検索する手順と、測定元として予め決定されたＩＰノードにおいて前記測定先ＩＰノードに対する測定スケジュールを作成する手順と、前記測定元ＩＰノードと前記測定先ＩＰノードとの間のＩＰ品質を前記測定スケジュールに従って前記測定元ＩＰノードから測定する手順と、前記ＩＰネットワークから測定データ要求を受信したとき、この測定データ要求で指定された収集条件に合致するＩＰ品質を測定した前記測定元ＩＰノードを、前記Ｐ２Ｐネットワークレイヤ上で検索する手順と、前記検索された測定元ＩＰノードから前記測定データ要求を発した要求元に、前記収集条件に合致する測定データを送信する手順とを実行するようにしたものである。
また、本発明の多ノード間測定方法の１構成例において、前記要求元は、前記ＩＰネットワークを構築するインフラストラクチャ事業者の端末装置である。
また、本発明の多ノード間測定方法の１構成例において、前記要求元は、前記ＩＰネットワークに開設された回線を利用している回線利用者の端末装置である。
また、本発明の多ノード間測定方法の１構成例において、前記要求元は、前記ＩＰネットワークを利用してアプリケーション利用者にサービスを提供するアプリケーション事業者の端末装置である。
【０００８】
また、本発明は、ＩＰネットワーク上に複数設置され、任意の２つの測定装置間のＩＰ品質を複数の測定装置について測定する多ノード間測定装置において、前記複数の測定装置を直接接続するピアツーピア（Ｐ２Ｐ）ネットワークレイヤをＩＰネットワーク上に構築する手段と、自装置が測定元として予め決定された場合、測定先として予め決定された測定装置を前記Ｐ２Ｐネットワークレイヤ上で検索する手段と、自装置が測定元として予め決定された場合、前記測定先に対する測定スケジュールを作成する手段と、自装置が測定元として予め決定された場合、自装置と前記測定先との間のＩＰ品質を前記測定スケジュールに従って測定する手段と、前記ＩＰネットワークから測定データ要求を受信したとき、この測定データ要求で指定された収集条件に合致するＩＰ品質を測定した前記測定元を、前記Ｐ２Ｐネットワークレイヤ上で検索する手段と、自装置が前記検索された測定元である場合、前記測定データ要求を発した要求元に前記収集条件に合致する測定データを送信する手段とを有するものである。
【０００９】
【発明の実施の形態】
以下、本発明の実施の形態について図面を参照して詳細に説明する。図１は本発明の実施の形態となる分散型リアルタイム測定データ提供システムの構成を示すブロック図である。本実施の形態の分散型リアルタイム測定データ提供システムは、ＩＰネットワーク２にルータ３（３−Ａ，３−Ｂ，３−Ｃ，３−Ｄ，３−Ｅ，３−Ｆ，３−Ｇ）を介して複数の測定装置１（１−Ａ，１−Ｂ，１−Ｃ，１−Ｄ，１−Ｅ，１−Ｆ，１−Ｇ）を設置する。測定装置（ＩＰノード）１は、ＩＰネットワーク２に対して測定用のプローブパケットを常時送出し、ＩＰ品質を測定して、測定したデータを自装置内に蓄えている。
【００１０】
図２に測定装置１の構成を示す。測定装置１は、ＩＰネットワーク２に対して測定用のプローブパケットを送出するプローブパケット送出部１１と、ＩＰネットワーク２からプローブパケットを受信するプローブパケット受信部１２と、測定スケジュールが設定される測定スケジュール記載部１３と、プローブパケットの送受信によって測定したデータを記録する測定データ記録部１４と、ＩＰネットワーク２上にピアツーピア（Ｐｅｅｒ　ｔｏ　Ｐｅｅｒ、以下Ｐ２Ｐとする）ネットワークレイヤ４を構築するＰ２Ｐ制御部１５と、測定データ要求を受信する測定データ要求受信部１６と、測定データ要求を発した要求元に測定データを送信する測定データ送信部１７と、課金情報に相当する情報として、測定データ要求に対する応答履歴を記録する課金情報記録部１８とからなる。
【００１１】
図３にＰ２Ｐ制御部１５の構成を示す。Ｐ２Ｐ制御部１５は、ＩＰネットワーク２上にＰ２Ｐネットワークレイヤ４を構築するＰ２Ｐレイヤ構成部１５１と、Ｐ２Ｐネットワークレイヤ４でのサービスとして測定元としてのサービスあるいは測定先としてのサービスを起動するサービス宣言部１５２と、測定元となる測定装置１において、測定先となる測定装置１をＰ２Ｐの検索機能を用いて検索するサービス検索中継実行部１５３と、測定データ要求で指定された収集条件に合致するＩＰ品質を測定した測定元をＰ２Ｐの検索機能を用いて検索し、自装置が検索された測定元である場合、測定データ要求を発した要求元に収集条件に合致する測定データを送信する測定データ検索応答部１５４とからなる。
【００１２】
分散型リアルタイム測定データ提供システムを運営するシステム提供者は、測定する品質種別を表すクラス（遅延測定クラス、スループットクラス等）と、属性値（測定元、測定先またはその他）とをあらかじめ設定した測定装置１を準備して、この測定装置１をＩＰネットワーク２に設置する。そして、設置した測定装置１にＩＰアドレスを設定する。なお、ＩＰアドレスは手動設定でなく、ＤＨＣＰ（Ｄｙｎａｍｉｃ　Ｈｏｓｔ　Ｃｏｎｆｉｇｕｒａｔｉｏｎ　Ｐｒｏｔｏｃｏｌ　）等の自動ＩＰアドレス割当機構を用いて設定してもよい。
【００１３】
次に、分散型リアルタイム測定データ提供システムの動作を説明する。図４は各測定装置１の測定実施時の動作を示すフローチャートである。以下の説明では、測定装置１−Ａを測定元、測定装置１−Ｂを測定先として説明する。最初に、各測定装置１のＰ２Ｐレイヤ構成部１５１は、ＩＰネットワーク２上で他の測定装置１（ピア）を互いに発見するピア発見ルーチンを実行する（図４ステップ１０１）。ピアの数が一定以上になるまで（ステップ１０２においてＹＥＳ）、各測定装置１がピア発見ルーチンを繰り返し実行することにより、各測定装置１を対等な関係で直接接続するＰ２Ｐネットワークレイヤ４がＩＰネットワーク（ＩＰレイヤ）２上に構築される。
【００１４】
続いて、測定元として予め定められた測定装置１−Ａのサービス検索中継実行部１５３は、測定先となる測定装置１−ＢをＰ２Ｐネットワークレイヤ４上で検索する測定先発見ルーチンを実行し、測定装置１−ＢのＩＰアドレスを取得する（ステップ１０３）。この検索は、測定装置１−Ａのサービス検索中継実行部１５３からプローブパケット送出部１１を通じてＰ２Ｐネットワークレイヤ４に検索要求を送出し、この検索要求が複数の測定装置１を介して測定先となる測定装置１−Ｂに到達して、検索要求に対する測定装置１−Ｂの応答が複数の測定装置１を介して測定装置１−Ａに返送されることで行われる。検索終了後、測定装置１−Ａのサービス検索中継実行部１５３は、取得したＩＰアドレスを測定スケジュール記載部１３に設定する。
【００１５】
次に、測定装置１−Ａのプローブパケット送出部１１は、測定スケジュール記載部１３の設定内容に従って測定ルーチンを実行する（ステップ１０４）。すなわち、測定装置１−Ａのプローブパケット送出部１１は、測定スケジュール記載部１３に設定されたＩＰアドレス宛にプローブパケットを送出する。プローブパケット送出部１１から送り出されたプローブパケットは、ＩＰネットワーク２を介して測定装置１−Ｂのプローブパケット受信部１２に到達し、測定装置１−Ｂのプローブパケット送出部１１から送り出されて、測定装置１−Ａのプローブパケット受信部１２に戻る。
【００１６】
測定装置１−Ａのプローブパケット受信部１２は、測定装置１−Ｂから返送されたプローブパケットを受信した時点で、プローブパケットの送信時刻から受信時刻までの遅延時間を求める。また、プローブパケット受信部１２は、一定時間中に測定装置１−Ｂ宛に送出した全プローブパケット数のうち戻ってきていないプローブパケット数を調べることでプローブパケットの損失を求め、一定時間中に測定した複数の遅延時間の分散を算出することでプローブパケットの揺らぎを求める。
【００１７】
そして、測定装置１−Ａのプローブパケット受信部１２は、測定時刻と、自装置（測定元）のＩＰアドレスと、測定先のＩＰアドレスと、測定データ（プローブパケットの遅延時間、損失および揺らぎ）とを対応付けて測定データ記録部１４に書き込む。
【００１８】
測定ルーチンの終了後、測定装置１−Ａのプローブパケット送出部１１は、測定ルーチンの前回の実行から第１の所定時間（例えば５分）以上経過したか否か判定する（ステップ１０５）。直前の測定から第１の所定時間以上経過している場合、プローブパケット送出部１１は、ステップ１０４の測定ルーチンを再び実行する。こうして、第１の所定時間毎に測定ルーチンが繰り返し実行される。
【００１９】
次に、測定装置１−Ａのサービス検索中継実行部１５３は、測定先発見ルーチンの前回の実行から第２の所定時間以上経過したか否か判定する（ステップ１０６）。直前の検索から第２の所定時間以上経過している場合、サービス検索中継実行部１５３は、ステップ１０３の測定先発見ルーチンを再び実行する。こうして、第２の所定時間毎に測定先発見ルーチンが繰り返し実行される。測定先発見ルーチンは測定ルーチンよりも低い頻度で実行される。すなわち、第２の所定時間は、第１の所定時間よりも長く、例えば１日程度に設定される。測定先発見ルーチンを繰り返し実行するのは測定先の増減に対応するためである。
【００２０】
次に、分散型リアルタイム測定データ提供システムの利用を希望する事業者は、ＩＰネットワーク２を通じて測定装置群に測定データを要求し、所望の測定データを得る。このとき、事業者は、測定データの収集範囲と、測定元のＩＰアドレスと、測定先のＩＰアドレスと、測定時刻とからなる測定データ収集条件を測定データ要求に設定して任意の測定装置１に送信する。測定データの収集範囲としては、要求先の測定装置１から例えば５台以内の距離にある測定装置１までの範囲が設定される。
【００２１】
図４に示した動作の実行中に、測定データ要求を受信した測定装置１は、図５に示すような割込処理を実行する。すなわち、測定装置１の測定データ検索応答部１５４は、測定データ要求受信部１６を通じて測定データ要求を受信すると（図５ステップ２０１においてＹＥＳ）、受信した測定データ要求によって指定された収集範囲内で測定データ収集条件（測定元のＩＰアドレス、測定先のＩＰアドレス、測定時刻）に合致する測定データを保持している測定元をＰ２Ｐネットワークレイヤ４上で検索する（ステップ２０２）。この検索は、測定データ要求を最初に受信した測定装置１から収集範囲内に存在する測定装置１へ測定データを送出し、収集範囲内に存在する各測定装置１が測定データ要求を順次転送していくことで行われる。
【００２２】
そして、測定データ要求を受信した各測定装置１の測定データ検索応答部１５４は、自装置の測定データ記録部１４に前記測定データ収集条件に合致する測定データが保持されている場合、この測定データをＩＰネットワーク２を通じて要求元に送信すると同時に、課金情報記録部１８に応答履歴（要求元のＩＰアドレス、送信した測定データの量など）を記録する（ステップ２０３）。図５の割込処理の終了後、各測定装置１は、中断していた図４の処理に戻る。システム提供者は、各測定装置１の課金情報記録部１８に記録されている応答履歴に基づいて、要求元の事業者に測定データ利用料金を請求する。
【００２３】
図６〜図８に本実施の形態の分散型リアルタイム測定データ提供システムの利用形態の３つの例を示す。図６に示した例は、ＩＰネットワーク２を構築するインフラストラクチャ事業者に対して測定データを提供するものである。インフラストラクチャ事業者は、ルータ３−Ｈを介してＩＰネットワーク２に接続された端末装置５から測定データ要求を任意の測定装置１に送信する。測定データ要求に対する各測定装置１の動作は前述のとおりである。こうして、インフラストラクチャ事業者は、分散型リアルタイム測定データ提供システムから所望の測定データを受け取ることでＩＰネットワーク２の混雑状況を知ることができ、設備投資計画や顧客の収容計画を決定することができる。
【００２４】
図７に示した例は、ＩＰネットワーク２に開設されたＶＰＮ（Ｖｉｒｔｕａｌ　Ｐｒｉｖａｔｅ　Ｎｅｔｗｏｒｋ　）または専用線を利用するＶＰＮ／専用線利用者に対して測定データを提供するものである。ＶＰＮ／専用線利用者は、ルータ３−Ｈを介してＩＰネットワーク２に接続された端末装置６から測定データ要求を任意の測定装置１に送信する。測定データ要求に対する各測定装置１の動作は前述のとおりである。
こうして、ＶＰＮ／専用線利用者は、分散型リアルタイム測定データ提供システムから所望の測定データを受け取ることで、契約回線の混雑状況を知ることができ、契約回線の増設計画や無駄な回線の削減計画を決定することができる。
【００２５】
図８に示した例は、ＩＰネットワーク２を利用してアプリケーション利用者に例えばＶｏＩＰ（Ｖｏｉｃｅ　ｏｖｅｒ　ＩＰ　）等のサービスを提供するアプリケーション事業者に、測定データを提供するものである。アプリケーション事業者は、ルータ３−Ｈを介してＩＰネットワーク２に接続された端末装置７から測定データ要求を任意の測定装置１に送信する。測定データ要求に対する各測定装置１の動作は前述のとおりである。こうして、アプリケーション事業者は、分散型リアルタイム測定データ提供システムから所望の測定データを受け取ることでＩＰネットワーク２の混雑状況を知ることができ、アプリケーション利用者の端末装置８に対してサービス提供が可能かどうかを判断することができる。また、アプリケーション利用者の端末装置８との間に利用可能なＩＰネットワーク２が複数存在する場合には、各ＩＰネットワーク２の混雑状況を比べることで、どのＩＰネットワーク２を利用するのが最適かを判断することができる。
【００２６】
本実施の形態によれば、インフラストラクチャ事業者、ＶＰＮ／専用線利用者およびアプリケーション事業者は、分散型リアルタイム測定データ提供システムから所望の測定データを受け取る代わりに、図９のようにシステム提供者に測定データ利用料金を支払う。なお、ＶＰＮ／専用線利用者およびアプリケーション事業者は、インフラストラクチャ事業者に回線利用料金を支払い、アプリケーション利用者はアプリケーション事業者にアプリケーション利用料金を支払うことは言うまでもない。
【００２７】
本実施の形態では、複数の測定装置１のＰ２Ｐ制御部１５同士を接続するＰ２Ｐネットワークレイヤ４を構築することにより、測定先として宣言している測定装置１をサーバを介在させずに自律的に検索することを可能としている。図１０に示した従来の測定系では、Ａ〜Ｚの２６台の測定装置を設置すると、各測定装置でそれぞれ２５台の他の測定装置について測定するか否かを決める必要があり、ネットワーク全体としては２６×２５＝６５０の測定スケジュールについて測定するか否かを決める必要があった。これに対して、本実施の形態では、Ａ〜Ｚの２６台の測定装置についてそれぞれ測定元とするか否か、測定先とするか否かを決定すればよいので、手動での決定は２６×２×２通りで済む。つまり、ｎ台の測定装置１を設置したＩＰネットワーク２において、Ｏ（ｎ２　）の計算量をＯ（ｎ）に削減できたことになる。
【００２８】
また、本実施の形態では、Ｐ２Ｐネットワークレイヤ４を構築することにより、測定データ収集条件に合致する測定データを保持している測定元をサーバを介在させずに自律的に検索して、測定データ要求を発した要求元に測定データ収集条件に合致する測定データを送信することを可能としている。これにより、測定データを低コストでリアルタイムに提供することが可能となる。
【００２９】
なお、本実施の形態では、測定装置１−Ａ，１−Ｂ間の測定についてのみ説明しているが、同様の測定を他の測定装置間についても実施できることは言うまでもない。また、測定データ収集条件で測定元と測定先をＩＰアドレスを用いて指定しているが、各測定装置に固有の識別番号（ＩＤ）を用いて指定するようにしてもよい。
【００３０】
【発明の効果】
本発明によれば、ＩＰネットワーク上にピアツーピア（Ｐ２Ｐ）ネットワークレイヤを構築し、測定先として予め決定されたＩＰノードをＰ２Ｐネットワークレイヤ上で検索して、測定先ＩＰノードに対する測定スケジュールを作成し、測定元ＩＰノードと測定先ＩＰノードとの間のＩＰ品質を測定スケジュールに従って測定するようにしたので、従来のアクティブ測定に比べて、設定が必要な測定スケジュールの数を減らすことができ、測定スケジュール設定の手間を大幅に減らすことができる。結果として、大規模なＩＰネットワークにおいてアクティブ測定を効率よく行うことができる。また、本発明では、測定データ要求で指定された収集条件に合致するＩＰ品質を測定した測定元ＩＰノードを、Ｐ２Ｐネットワークレイヤ上で検索して、検索された測定元ＩＰノードから測定データ要求を発した要求元に、収集条件に合致する測定データを送信するようにしたので、アプリケーション利用者、アプリケーション事業者、回線利用者あるいはインフラストラクチャ事業者といったＩＰネットワークを利用している各階層に対して、最適なネットワーク制御やネットワークの利用のための測定データを低コストでリアルタイムに提供することが可能となる。
【００３１】
また、測定データ要求に応じて要求元であるインフラストラクチャ事業者の端末装置に測定データを送信することにより、インフラストラクチャ事業者は、所望の測定データを受け取ることでＩＰネットワークの混雑状況を知ることができるので、ネットワーク制御をリアルタイムに行うことができ、また設備投資計画や顧客の収容計画を決定することができる。
【００３２】
また、測定データ要求に応じて要求元である回線利用者の端末装置に測定データを送信することにより、回線利用者は、所望の測定データを受け取ることで契約回線の混雑状況を知ることができるので、契約回線の増設計画や無駄な回線の削減計画を決定することができる。
【００３３】
また、測定データ要求に応じて要求元であるアプリケーション事業者の端末装置に測定データを送信することにより、アプリケーション事業者は、所望の測定データを受け取ることでＩＰネットワークの混雑状況を知ることができるので、アプリケーション利用者に対してサービス提供が可能かどうかをリアルタイムに判断することができる。また、アプリケーション利用者との間に利用可能なＩＰネットワークが複数存在する場合には、各ＩＰネットワークの混雑状況を比べることで、どのＩＰネットワークを利用するのが最適かをリアルタイムに判断することができる。
【図面の簡単な説明】
【図１】本発明の実施の形態となる分散型リアルタイム測定データ提供システムの構成を示すブロック図である。
【図２】図１の測定装置の構成を示すブロック図である。
【図３】図２のＰ２Ｐ制御部の構成を示すブロック図である。
【図４】図１の測定装置の測定実施時の動作を示すフローチャートである。
【図５】図１の測定装置の測定データ要求受信時の動作を示すフローチャートである。
【図６】図１の分散型リアルタイム測定データ提供システムの利用形態の１例を示す図である。
【図７】図１の分散型リアルタイム測定データ提供システムの利用形態の他の例を示す図である。
【図８】図１の分散型リアルタイム測定データ提供システムの利用形態の他の例を示す図である。
【図９】本発明によりインフラストラクチャ事業者、ＶＰＮ／専用線利用者、アプリケーション事業者、アプリケーション利用者およびシステム提供者のそれぞれが得る利益を説明するための説明図である。
【図１０】従来の測定系の構成を示すブロック図である。
【図１１】従来の他の測定系の構成を示すブロック図である。
【符号の説明】
１…測定装置、２…ＩＰネットワーク、３…ルータ、４…Ｐ２Ｐネットワークレイヤ、５…インフラストラクチャ事業者端末装置、６…ＶＰＮ／専用線利用者端末装置、７…アプリケーション事業者端末装置、８…アプリケーション利用者端末装置、１１…プローブパケット送出部、１２…プローブパケット受信部、１３…測定スケジュール記載部、１４…測定データ記録部、１５…Ｐ２Ｐ制御部、１６…測定データ要求受信部、１７…測定データ送信部、１８…課金情報記録部、１５１…Ｐ２Ｐレイヤ構成部、１５２…サービス宣言部、１５３…サービス検索中継実行部、１５４…測定データ検索応答部。
【図１】
2004064692.tif 000003
【図２】
2004064692.tif 000004
【図３】
2004064692.tif 000005
【図４】
2004064692.tif 000006
【図５】
2004064692.tif 000007
【図６】
2004064692.tif 000008
【図７】
2004064692.tif 000009
【図８】
2004064692.tif 000010
【図９】
2004064692.tif 000011
【図１０】
2004064692.tif 000012
【図１１】
2004064692.tif 000013